(57)【要約】【課題】不使用時に、ごみが付着した状態の拭布で床面や壁面を汚したり室内の美観を損ねたりすることなく、しかもコンパクトに収納可能な、利便性の高い清掃具を提供することにある。【解決手段】柄棒５に開閉自在に取り付けられて装着ヘッド３を覆うスタンド兼用のヘッドカバー６とを備え、上記装着ヘッド３の収納時の姿勢は、長手方向の軸線が柄棒５と略平行をなす縦向姿勢であり、上記ヘッドカバー６は、凹字形又はＵ字形の断面形状を有する細長い左右一対のカバー部片６Ａ，６Ａが、その長手方向の基端部６ｆをカバー支持台１０を介して柄棒５に回動自在に取り付けられると共に、長手方向の先端部に床面に当接させて自立させるための接地部６ｇを有していて、上記基端部６ｆを支点として回動させることにより、上記装着ヘッド３を露出させる開放位置と、縦向姿勢にある装着ヘッド３を両側から覆う閉鎖位置とに変位可能に構成される。【選択図】図１
2008149026.tif 000002
【特許請求の範囲】
【請求項１】
清掃用の拭布と、該拭布を装着するための一方向に長い長方形状をした装着ヘッドと、該装着ヘッドに連結機構を介して傾動自在に連結された柄棒と、該柄棒に開閉自在に取り付けられ、清掃時には開放位置を占めて上記装着ヘッドを露出させ、収納時には閉鎖位置を占めて上記装着ヘッドを覆うと共に自立用のスタンドとして機能するヘッドカバーとを備えていることを特徴とする清掃具。
【請求項２】
上記装着ヘッドの収納時の姿勢は、長手方向の軸線が上記柄棒と略平行をなす縦向姿勢であり、
上記ヘッドカバーは、凹字形又はＵ字形の断面形状を有する細長い左右一対のカバー部片を有し、これらのカバー部片が、長手方向の基端部をカバー支持台を介して柄棒に回動自在に取り付けられると共に、長手方向の先端部に床面に当接させて自立させるための接地部を有していて、上記基端部を支点として回動させることにより、上記装着ヘッドを露出させる上記開放位置と、縦向姿勢にある装着ヘッドを両側から覆う上記閉鎖位置とに変移可能であることを特徴とする請求項１に記載の清掃具。
【請求項３】
上記カバー部片の長さ及び幅が上記装着ヘッドの長さ及び幅より大きいことを特徴とする請求項２に記載の清掃具。
【請求項４】
上記カバー部片の基端部が、上記カバー支持台に、上記装着ヘッドの幅方向に延びる開閉軸線を中心に回動自在なるように取り付けられ、２つのカバー部片の基端部間には引張用のコイルばねが張設されていて、両カバー部片の開閉に伴って該コイルばねが上記開閉軸線を横切って変移することにより、これら両カバー部片が該コイルばねの引張力で上記閉鎖位置と開放位置とに保持されるように構成されていることを特徴とする請求項２又は３に記載の清掃具。
【請求項５】
上記柄棒の先端の上記装着ヘッドが連結されている位置から、上記カバー支持台までの距離が、上記装着ヘッドの長さの１／２より大きいことを特徴とする請求項１から４の何れかに記載の清掃具。
【発明の詳細な説明】
【技術分野】
【０００１】
本発明は、板張りの床の清掃に適した清掃具に関するものであり、さらに詳しくは、不使用時にヘッドをカバーで覆った状態にして自立させて収納できるようにしたカバー付きの清掃具に関するものである。
【背景技術】
【０００２】
フローリングなどからなる板張りの床を清掃する清掃具として、従来より各種形態のものが知られている。一般的なものとしては、柄棒の先端に連結された左右に細長い長方形の拭布用装着ヘッドに、紙や不織布等からなる拭布を着脱自在に装着し、この拭布で床面を清掃するタイプの清掃具がある。
【０００３】
この種の清掃具は、清掃を行い易いように柄棒が装着ヘッドに自由に傾動できるように連結されている。そして、清掃具の不使用時には、装着ヘッドを床面上に置いた状態で柄棒を壁面等に立て掛けたり、壁面のフックに吊り下げたりして収納していた。そのため、見た目が悪く室内の美観が損なわれるだけでなく、汚れた拭布が床面や壁面に接触することによってこれらの床面や壁面を汚してしまうおそれもあった。また、壁に立て掛けて収納する場合には、長方形の装着ヘッドが、清掃している時のように床面上に置かれているため、場所をとり、コンパクトに保管することができなかった。
【発明の開示】
【発明が解決しようとする課題】
【０００４】
そこで本発明の課題は、不使用時に、ごみが付着した状態の拭布で床面や壁面を汚したり室内の美観を損ねたりすることなく、しかもコンパクトに収納可能な、利便性の高い清掃具を提供することにある。
【課題を解決するための手段】
【０００５】
上記課題を解決するため、本発明の清掃具は、清掃用の拭布と、該拭布を装着するための一方向に長い長方形状をした装着ヘッドと、該装着ヘッドに連結機構を介して傾動自在に連結された柄棒と、該柄棒に開閉自在に取り付けられ、清掃時には開放位置を占めて上記装着ヘッドを露出させ、収納時には閉鎖位置を占めて上記装着ヘッドを覆うと共に自立用のスタンドとして機能するヘッドカバーとを備えていることを特徴とするものである。
【０００６】
本発明の清掃具において、上記装着ヘッドの収納時の姿勢は、長手方向の軸線が上記柄棒と略平行をなす縦向姿勢であり、上記ヘッドカバーは、凹字形又はＵ字形の断面形状を有する細長い左右一対のカバー部片を有し、これらのカバー部片が、長手方向の基端部をカバー支持台を介して柄棒に回動自在に取り付けられると共に、長手方向の先端部に床面に当接させて自立させるための接地部を有していて、上記基端部を支点として回動させることにより、上記装着ヘッドを露出させる上記開放位置と、縦向姿勢にある装着ヘッドを両側から覆う上記閉鎖位置とに変移可能である。
また、本発明の清掃具においては、上記カバー部片の長さ及び幅が、上記装着ヘッドの長さ及び幅より大きく形成される。
そして、本発明の清掃具は、上記カバー部片の基端部が、上記カバー支持台に、上記装着ヘッドの幅方向に延びる開閉軸線を中心に回動自在なるように取り付けられ、２つのカバー部片の基端部間には引張用のコイルばねが張設されていて、両カバー部片の開閉に伴って該コイルばねが上記開閉軸線を横切って変移することにより、これら両カバー部片が該コイルばねの引張力で上記閉鎖位置と開放位置とに保持されるように構成されていることが望ましい。
さらに、本発明においては、上記柄棒の先端の上記装着ヘッドが連結されている位置から、上記カバー支持台までの距離が、上記装着ヘッドの長さの１／２より大きい。
【発明の効果】
【０００７】
本発明の清掃具は、一対の細長いカバー部片で形成されたスタンド兼用のヘッドカバーを設け、これらのカバー部片により、縦向姿勢にした装着ヘッドを両側から覆うと共に、自立させた状態で収納するようにしたので、ごみが付着した拭布で床面を汚したり室内の美観を損ねたりすることなく、しかもコンパクトな状態で収納することができる。
【発明を実施するための最良の形態】
【０００８】
図１〜図８は本発明に係る清掃具１の一実施形態を示すものである。この清掃具１は、清掃用の拭布２を着脱自在に装着するための装着ヘッド３と、該装着ヘッド３に連結機構４を介して傾動自在に連結された把持用の柄棒５と、該柄棒５に開閉自在に取り付けられ、清掃具の収納時に上記装着ヘッド３を覆うと共に自立用スタンドとして機能するヘッドカバー６とから構成されている。
【０００９】
上記拭布２は、天然繊維及び／又は合成繊維からなる柔軟な不織布によって長方形状に形成したもので、床面上の毛髪や糸屑などの繊維質のごみを付着させて除去するものである。もちろん、塵埃などの繊維質以外のごみも付着させることができる。
上記不織布を構成する繊維は、親水性繊維であっても、親油性繊維であっても良く、あるいはそれらの混合物であっても良い。また、それらの繊維は、繊維経が小さい極細繊維で構成されていることが望ましいが、より望ましくは、この繊維の一部又は全部に、繊維経が１〜１０μｍの超極細繊維が含まれていることである。
【００１０】
上記装着ヘッド３は、硬質の合成樹脂で形成された一方向に長い略長方形状をしたヘッド基板３ａと、該ヘッド基板３ａの下面に取り付けられた略長方形状のクッション部材３ｂとから構成され、このクッション部材３ｂの下面全体を覆うように上記拭布２を巻き付けて装着するものである。
上記クッション部材３ｂは、合成樹脂発泡体からなっていて、その縦横寸法を上記ヘッド基板３ａの縦横寸法より大きく形成されることにより、上記ヘッド基板３ａの周辺部から若干はみ出しており、この構成により、清掃中に上記ヘッド基板３ａが家具や壁面などに直接ぶつかることが防止されるようになっている。
【００１１】
一方、上記ヘッド基板３ａの上面には、装着ヘッド３に装着した上記拭布２を係止させるための係止部７が、四隅に近い複数箇所に設けられている。この係止部７は、ヘッド基板３の薄肉化された部分に複数の切れ目７ａを互いに交差するように入れることによって形成されたもので、これらの切れ目７ａの中に上記拭布２を押し込むことにより、切れ目の間に形成された先の尖った弾性係止片が該拭布２に係止して、該拭布２が装着状態に保持されるものである。
また、上記ヘッド基板３ａの上面には、幅方向の中間位置を長さ方向に延びる第１凹部８と、長さ方向の中間位置を幅方向に延びる第２凹部９とが、該ヘッド基板３ａの中央で互いに交叉するように形成され、これらの凹部８，９で区切られた基板３ａ上面部分にそれぞれ上記係止部７が形成されると共に、これらの凹部８，９が交叉する位置に、上記連結機構４における軸受部４ａが設けられている。
【００１２】
上記柄棒５は、アルミニウム等の金属製パイプか又は硬質合成樹脂製パイプからなるもので、大小複数のパイプによって伸縮自在に構成されている。図示した例では、大小２本のパイプで柄棒５が形成されていて、把持部を有する大径パイプ製の第１柄棒部材５ａの内部に、小径パイプ製の第２柄棒部材５ｂを摺動自在に嵌入し、両柄棒部材５ａ，５ｂを伸縮させて柄棒５全体の長さを調整したあと、上記第１柄棒部材５ａの先端に設けた固定部材５ｃを回転操作して第２柄棒部材５ｂを締め付けることにより、両柄棒部材５ａ，５ｂをその長さに固定できるようになっている。
【００１３】
上記柄棒５は、上記基板３ａの上面中央位置に、上記連結機構４によって前後及び左右のあらゆる方向及び角度に傾動自在になるように連結されている。この連結機構４は、上記装着ヘッド３の第１凹部８内に設けられたヘッド側軸受部４ａと、上記柄棒５の先端に設けられた柄棒側軸受部４ｂと、これらの軸受部４ａ，４ｂ同士を連結する連結部材４ｃとからなるもので、この連結部材４ｃが、上記ヘッド側軸受部４ａに対しては、装着ヘッド３の長さ方向を向く軸線を中心にして回転自在なるように連結され、上記柄棒軸受部４ｂに対しては、装着ヘッド３の幅方向を向く軸線を中心にして回転自在なるように連結されている。これによって上記柄棒５は、上記装着ヘッド３に対して前後及び左右のあらゆる方向及び角度に傾動自在である。この結果、清掃具１の収納時に、上記装着ヘッド３を、図２に示すように、長手方向の軸線を上記柄棒５と略平行に向けた縦向姿勢にすることが可能になる。
【００１４】
上記ヘッドカバー６は、ポリプロピレンなどの合成樹脂から形成された左右一対のカバー部片６Ａ，６Ａを有している。これらのカバー部片６Ａ，６Ａは、凹字形又はＵ字形あるいはそれらに類する断面形状を備えた細長い溝形の部材であって、底壁部６ａと、この底壁部６ａの幅方向の両端部から立ち上がった左右の側壁部６ｂ，６ｂとを有し、該カバー部片６Ａの長さは、上記装着ヘッド３の長さよりもやや長く形成され、その幅は、上記装着ヘッド３の幅よりやや大きく形成されている。そして、該カバー部片６Ａの長さ方向の基端部６ｆが、カバー支持台１０を介して上記柄棒５に取り付けられ、長さ方向の先端部には、スタンドとして使用する際に床面に当接させるための接地部６ｇが形成されている。
【００１５】
上記カバー支持台１０は、円弧状の断面形状を有する部材であって、樽形の容器の一部を該容器の中心軸線と平行する面で分割したような形をしており、その円弧面１０ａを上方即ち柄棒５の基端部側に向けると共に、軸線を横向き即ち上記装着ヘッド３の幅方向に向けた姿勢で、上記円弧面１０ａの中央部を貫通する上記柄棒５に固定されている。
このカバー支持台１０の軸線方向長さは、上記カバー部片６Ａの幅と実質的に同じであり、また、軸線と直交する方向の長さ（幅）は、図３から分かるように、一対のカバー部片６Ａ，６Ａを向かい合わせに当接させた時（閉鎖した時）の両カバー部片６Ａ，６Ａの側壁部６ｂ，６ｂの合計高さとほぼ同じである。
また、上記柄棒５の先端の上記装着ヘッド３が連結されている位置（柄棒側軸受部４ｂに連結部材４ｃが連結されている位置）から、上記カバー支持台１０の下面までの距離が、上記装着ヘッド３の長さの１／２よりやや大きくされており、これにより、上記装着ヘッド３を図２に示す収納のための縦向姿勢にする際に、上記カバー支持台１０が障害にならないようにしている。
【００１６】
上記各カバー支持台１０の幅方向の両側部には、互いに相対する位置に、軸線方向両端部寄りに位置する２つの第１切欠溝６ｄ，６ｄと、これらの第１切欠溝６ｄ，６ｄ間において一方の第１取切欠溝６ｄ側に偏寄して位置する第２切欠溝６ｅとが、カバー支持台１０の端縁から一定の深さ切り込まれている。
【００１７】
これに対して、上記カバー部片６Ａの基端部６ｆには、上記２つの第１切欠溝６ｄ，６ｄに個別に嵌合する２つの取付腕１３，１３が設けられると共に、上記第２切欠溝６ｅに嵌合するばね受け腕１４が設けられている。そして、上記取付腕１３が、その中間位置に形成された軸受部１３ａを貫通する枢支軸１１により、上記カバー支持台１０に、上下方向に回動自在なるように支持されている。これによって上記カバー部片６Ａは、清掃のために装着ヘッド３を露出させる図１及び図２の開放位置と、収納のため縦向姿勢にされた上記装着ヘッド３を覆う図３の閉鎖位置とに、変移可能である。従って、上記２つの取付腕１３を支持する枢支軸１１は互いに同心をなしていて、それらの中心は、上記装着ヘッド３の幅方向に延びる開閉軸線Ｌ上に位置することになる。
【００１８】
また、相対する２つのカバー部片６Ａ，６Ａのばね受け腕１４，１４間には、係止軸１４ａに両端を係止させることによって引張用のコイルばね１４ｂが張設され、このコイルばね１４ｂの引張力が、上記２つのカバー部片６Ａ，６Ａに、それらを相互に引き寄せる方向に常時作用している。このコイルばね１４ｂの張設方向は、上記開閉軸線Ｌと直交する向きである。
上記コイルばね１４ｂが係止する係止軸１４ａは、上記開閉軸線Ｌの近くに位置していて、カバー部片６Ａの開閉動作により該開閉軸線Ｌを中心に揺動し、該開閉軸線Ｌの上側と下側とに変移するため、それに追随してコイルばね１４ｂも同様に変移する。即ち、図７に示すように、上記カバー部片６Ａ，６Ａが閉鎖位置にあるときには、上記係止軸１４ａ及びコイルばね１４ｂは開閉軸線の下側に位置し、この位置で作用するコイルばね１４ｂの引張力によって２つのカバー部片６Ａ，６Ａは閉鎖位置に保持され、図８に示すように、上記カバー部片６Ａ，６Ａが開放位置に回動すると、上記係止軸１４ａ及びコイルばね１４ｂは開閉軸線Ｌの上側に移動し、この位置で作用するコイルばね１４ｂの引張力によって２つのカバー部片６Ａ，６Ａは開放位置に保持される。
【００１９】
上記カバー部片６Ａ，６Ａは、上述したように、上記閉鎖位置において清掃具１を自立させるためのスタンドとして機能する。この時、これらのカバー部片６Ａ，６Ａで覆われた上記装着ヘッド３は、図２に示すように長手方向の軸線が上記柄棒５と略平行をなす縦向姿勢を保持している。従って上記カバー部片６Ａは、この装着ヘッド３が床面に接触することのないように、その長さを該装着ヘッド３の長さより十分大きく形成されていることが必要である。
また、上記カバー部片６Ａにおける左右の側壁部６ｂの高さは、該カバー部片６Ａ，６Ａの全長にわたって均一ではなく、基端部６ｆ側の一部で他の部分より若干高くなっており、この高くなった部分がストッパ６ｃになっていて、両カバー部片６Ａ，６Ａが閉鎖位置にあるとき、これらのストッパ６ｃ同士が相互に当接することにより、両カバー部片６Ａ，６Ａが該閉鎖位置に位置決めされるようになっている。
一方、上記カバー部片６Ａ，６Ａが上記開放位置にあるときには、該カバー部片６Ａ，６Ａにおける底壁部６ａの外面が上記柄棒５の固定部材５ｃに当接することにより、その開放位置に位置決めされるようになっている。
【００２０】
上記構成を有する清掃具１で床面等を清掃するときは、図１に示すように、両カバー部片６Ａ，６Ａを上方に回動させて開放位置に保持させることにより装着ヘッド３を露出させ、該装着ヘッド３に拭布２を装着すると共に、柄棒５の長さを必要に応じて調節したあと、通常の清掃具と同様にして床面等を清掃する。
【００２１】
清掃が終わると、図２に示すように、上記装着ヘッド３を、長さ方向の軸線が柄棒５と平行する縦向姿勢にしたあと、上記両カバー部片６Ａ，６Ａを閉鎖位置に回動させて装着ヘッド３を両側から包み込むように覆う。そして、該カバー部片６Ａの先端の接地部６ｇを床面上に当接させることにより、ヘッドカバー６をスタンド代わりにして清掃具１を自立させ、その状態で所要の場所に保管する。このとき、上記装着ヘッド３は、一方のカバー部片６Ａの内部に収容された状態で、床面から離間して位置することになる。また、上記カバー部材６Ａの基端部６ｆは僅かに湾曲していて、閉鎖位置にあるときカバー支持台１０の円弧面１０ａに滑らかに連なるように構成されており、これにより、これらのカバー部片６Ａ，６Ａとカバー支持台１０とで上記装着ヘッド３がほぼ完全に覆い隠されるようになっている。従って、上記カバー支持台１０も実質的にヘッドカバー６を構成するものである。
かくして、上記清掃具１によれば、汚れた拭布２が床面や壁面等に接触してそれらを汚すのが防止されるだけでなく、汚れた拭布２によって室内の美観が損なわれることもない。また、一方向に長い長方形をしているためにそのままでは場所をとる上記装着ヘッド３を、縦向きに起立させ、それを縦長形状のヘッドカバー６Ａで覆って収納するようにしたので、清掃具１を小さいスペースにコンパクトに保管し、収納することができる。
【図面の簡単な説明】
【００２２】
【図１】本発明に係る清掃具の実施形態における、一対のカバー部片を開放した使用状態を示す斜視図である。
【図２】図１の清掃具における装着ヘッドを収納時の縦向姿勢にした状態を示す斜視図である。
【図３】図１の清掃具の収納状態を示す斜視図である。
【図４】図２の要部拡大図である。
【図５】図３の正面図である。
【図６】図５のＡ−Ａ線での拡大断面図である。
【図７】図５のＢ−Ｂ線での拡大断面図である。
【図８】図７においてカバー部片を開放した場合の要部拡大図である。
【符号の説明】
【００２３】
１    清掃具
２    拭布
３    装着ヘッド
４    連結機構
５    柄棒
６    ヘッドカバー
６Ａ    カバー部片
６ｆ    基端部
６ｇ    接地部
１０    カバー支持台
１４ｂ    コイルばね
Ｌ    開閉軸線
【図１】
2008149026.tif 000003
【図２】
2008149026.tif 000004
【図３】
2008149026.tif 000005
【図４】
2008149026.tif 000006
【図５】
2008149026.tif 000007
【図６】
2008149026.tif 000008
【図７】
2008149026.tif 000009
【図８】
2008149026.tif 000010